(57)【要約】【課題】AFE（Analogue Front End）のオフセット・ゲインの調整処理を効率的に行う。【解決手段】  画像読取センサから供給されるアナログ信号に対して、オフセット設定値に基く基準電圧の設定と、ゲイン設定値に基づく信号増幅を行うＡＦＥと、ＡＦＥから出力されたアナログ信号をデジタル信号に変換するＡＤコンバータと、読取動作を制御する読取動作制御手段と、各種の設定データを記憶する記憶手段とをさらに備え、記憶手段には、装置毎に固有のオフセット設定値・ゲイン設定値が記憶され、読取動作制御手段は、電源投入の度に、記憶されたオフセット設定値、ゲイン設定値に基づきＡＦＥを制御して、画像読取センサから供給されるアナログ信号が、敏速に所定の値となるように、オフセット設定値とゲイン設定値の調整処理を開始する。【選択図】図１１
2010041083.tif 000002
【特許請求の範囲】
【請求項１】
被写体を照射する光源と、前記光源によって照射された被写体の反射光を受光して電気信号に変換する光電変換素子とを備えた読取部によって被写体の画像を読み取る画像読取装置において、
前記読取部から供給されるアナログ信号に対して加えるオフセット電圧の基準電圧を表すオフセット設定値と、アナログ信号の増幅率を表すゲイン設定値とを保持し、前記画像読取センサから供給されるアナログ信号に対して、前記オフセット設定値に基く基準電圧の設定と、前記ゲイン設定値に基づく信号増幅を行うＡＦＥ（Analogue Front End）と、
前記ＡＦＥから出力されたアナログ信号をデジタル信号に変換するＡＤコンバータと、
読取動作を制御する読取動作制御手段と、
各種の設定データを記憶する記憶手段とをさらに備え、
前記記憶手段には、装置毎に固有のオフセット設定値・ゲイン設定値が記憶され、前記読取動作制御手段は、電源投入の度に、前記記憶手段に記憶した、前記オフセット設定値、前記ゲイン設定値に基づき、前記ＡＦＥを制御して、前記画像読取センサから供給されるアナログ信号が、所定の値となるように、前記オフセット設定値、ゲイン設定値の調整処理を開始することを特徴とする、画像読取装置。
【請求項２】
前記オフセット設定値、前記ゲイン設定値は、あらかじめ、前記読取動作制御手段によって前記ＡＦＥを制御して、オフセット調整、ゲイン調整を行ったときの調整結果であることを特徴とする、請求項1に記載の画像読取装置。
【発明の詳細な説明】
【技術分野】
【０００１】
読取部の光を被写体に照射して被写体の画像を読み取る画像読取装置に関する。
【背景技術】
【０００２】
ＬＥＤを光源に用いた画像読取装置は、カラー、モノクロを含めて提案されている。読取装置は、カラー読取の場合は、Ｒ（赤）、Ｇ（緑）、Ｂ（青）の３色の光源を使用し、モノクロ読取の場合は、単色、例えばＧ（緑）の光源を使用している。読取装置は、各色を点灯制御して被写体としての原稿に照射し、受光センサを通じて、カラー及びモノクロの画像信号を得て、原稿等を読み取っている。
【０００３】
ところが、画像読取時の受光センサの出力電圧は、ＬＥＤ自体の光量のバラツキや受光センサの感度のバラツキによって一様でない。
【０００４】
このため、画像読取装置は、バラツキを補正する必要があり、読取時の受光センサ出力が一定になるように、基準電圧（オフセット）、および増幅率（ゲイン）のAFE設定値を調整している。
【発明の開示】
【発明が解決しようとする課題】
【０００５】
しかし、従来の画像読取装置は、AFE（Analogue Front End）設定値であるオフセット設定値、ゲイン設定値を調整する際、装置の違いに関わらず、固定の初期値から調整を開始している。
【０００６】
このため、従来の画像読取装置は、装置によっては、AFE設定値の調整開始から、所定の受光レベルが得られる迄の調整領域が広く、調整完了までに、時間がかかりすぎる場合があった。
【０００７】
従来の画像読み取り装置は、AFE設定値の調整処理を、電源投入時毎に実行しており、調整時間のバラツキは、装置の初期化終了迄の時間に影響を及ぼしていた。
【０００８】
本発明は、装置固有のパラメータによる初期化終了迄の時間のバラツキが小さい画像読取装置の提供を目的としている。
【課題を解決するための手段】
【０００９】
本発明の画像読取装置は、被写体を照射する光源と、前記光源によって照射された被写体の反射光を受光して電気信号に変換する光電変換素子とを備えた読取部によって被写体の画像を読み取る画像読取装置において、前記読取部から供給されるアナログ信号に対して加えるオフセット電圧の基準電圧を表すオフセット設定値と、アナログ信号の増幅率を表すゲイン設定値とを保持し、前記画像読取センサから供給されるアナログ信号に対して、前記オフセット設定値に基く基準電圧の設定と、前記ゲイン設定値に基く信号増幅を行うＡＦＥ（Analog Front End）と、 前記ＡＦＥから出力されたアナログ信号をデジタル信号に変換するＡＤコンバータと、読取動作を制御する読取動作制御手段と、各種の設定データを記憶する記憶手段とをさらに備え、前記記憶手段には、装置毎に固有のオフセット設定値・ゲイン設定値が記憶され、前記読取動作制御手段は、電源投入の度に、前記記憶手段に記憶した、前記オフセット設定値、前記ゲイン設定値に基づき、前記ＡＦＥを制御して、前記画像読取センサから供給されるアナログ信号が、所定の値となるように、前記オフセット設定値、ゲイン設定値の調整処理を開始することを特徴としている。
【００１０】
本発明の画像読取装置は、前記オフセット設定値、前記ゲイン設定値は、あらかじめ、前記読取動作制御手段によって前記ＡＦＥを制御して、オフセット調整、ゲイン調整を行ったときの調整結果であることを特徴としている。
【発明の効果】
【００１１】
本発明の画像読取装置は、AFEの基準電圧・増幅率の調整における初期設定値を、装置固有の最適値としているので、装置毎の調整時間のバラツキを防ぎ、装置の立ち上げ時間を短縮し、一定とすることができる。
【発明を実施するための最良の形態】
【００１２】
以下、本発明の実施形態の画像読取装置と、この画像読取装置を備えた画像形成装置とを図に基づいて説明する。
【００１３】
画像読取装置が装備される画像形成装置には、複写機、プリンタ、ファクシミリ及びこれらの複合機能を備えたものがある。本実施形態の画像読取装置は、ファクシミリに装備されている場合について説明するが、複写機、プリンタ等に装備されて使用されてもよい。また、画像読取装置は、画像形成装置に装備されることなく、単独で、スキャナの様に使用される場合もある。
【００１４】
図１は、本発明の実施形態における画像形成装置のシート搬送方向に沿った断面図である。図２は、図１の画像形成装置の外観斜視図である。図３は、画像形成装置に装備された本発明の実施形態における画像読取装置の一部分を示したものであり、原稿搬送方向に沿った断面図である。
【００１５】
（画像形成装置）
画像形成装置１００は、装置本体１０１と、装置本体１０１の上部に設けられた画像読取装置１０３と、画像読取装置１０３の上部に設けられた自動原稿供給装置（ＡＤＦ、オートドキュメントフィーダ）１２６とを備えている。
【００１６】
自動原稿供給装置１２６は、原稿載置台１０６に置かれた被写体としての例えばシート原稿Ｄを１枚ずつ分離して画像読取装置１０３に供給するようになっている。
【００１７】
画像読取装置１０３は、自動原稿供給装置１２６によって流し読みガラス１０９上に送り込まれるシート原稿Ｄを移動停止しているイメージセンサユニット１０８で読み取るようになっている。また、画像読取装置１０３は、原稿台ガラス１０７に置かれた被写体としての例えばシート原稿Ｄ或いはブック原稿Ｅをイメージセンサユニット１０８の副走査方向への移動によって読み取るようになっている。副走査方向は、図１、図３の左右方向である。主走査方向は、副走査方向に対して直交する方向であり、図２、図５において矢印Ｂ方向である。
【００１８】
画像形成装置の装置本体１０１は、画像読取装置１０３の画像読取情報に基づいてシートに画像を形成するようになっているので記録装置でもある。
【００１９】
画像読取装置１０３は、読み取った画像の情報を装置本体１０１に組み込まれた記録装置本体１０４に送るようになっている。記録装置本体１０４は、ＬＥＤアレイを使用した電子写真プリンタである。操作部１０５（図２）は、表示部、入力キー等を備えて、ユーザが画像形成装置１００を操作する部分である。
【００２０】
また、装置本体１０１は、ＬＥＤヘッドユニット１１０、画像形成部１１１、カセット給紙部１１２、記録装置本体１０４の上部にシートＰを複数枚積載することができるように構成された記録シート排紙部１１３、カートリッジカバー部１１４を備えている。さらに、装置本体１０１は、画像読取装置１０３と記録装置本体１０４とを接合する接合部１１９、ファクシミリ装置の制御部１２０、両面搬送部カバー１２２、搬送方向切換部１２３、レジスト搬送部１２４も備えている。また、装置本体１０１は、記録装置本体１０４内部に配置されたＭＰ（マルチペーパー）給紙部１２５、両面搬送部１５０を備えている。
【００２１】
自動原稿供給装置１２６は、ＡＤＦ分離部１１５、排紙搬送部１１６、原稿排紙部１１７、ブック原稿を押圧する原稿押え板１１８、シート原稿搬送部１２１等を備えている。
【００２２】
（ブック原稿の読み取りに関係する画像読取装置とＡＤＦとの部分説明）
図２において、ＡＤＦ圧板１０２は、ヒンジ部１０２ａによって画像読取装置１０３に回動自在に取り付けられて図１の原稿台ガラス１０７と流し読みガラス１０９とを図２の両矢印Ａ方向に開閉できるようになっている。ヒンジ部１０２ａは、装置本体１０１の背面側の左右に各１個設けられて、ユーザがＡＤＦ圧板１０２の手前側を持ち上げたとき、ＡＤＦ圧板１０２を後方に開けることができるようにしている。ヒンジ部１０２ａは、ダンパやカム、ばね部材などの組合せによりＡＤＦ圧板１０２を所定の角度（例えば、７０度）に開いた状態に保持できるようになっている。ＡＤＦ圧板１０２が開いた状態では、原稿台ガラス１０７上に原稿をセットすることができる。
【００２３】
図１，４のイメージセンサユニット１０８はＬＥＤと樹脂製導光体となどからなる光源から原稿の画像情報面に光を照射して、画像情報面で反射した反射光をセルフォックレンズ（商標）で一次元センサ素子アレイに結像して原稿の画像情報を読み取るものである。
【００２４】
図４において、イメージセンサユニット１０８は、タイミングベルト１０３ａ、不図示の駆動モータによって回転する駆動プーリ１０３ｂ、従動プーリ１０３ｆなどにより、ガイド軸１０３ｃの案内によって、装置の左右方向に移動する移動型に構成されている。また、イメージセンサユニット１０８は、キャリッジ１０３ｄによってガイド軸１０３ｃに支持されるとともに、スプリング１０３ｅによって上方へ付勢されている。タイミングベルト１０３ａとキャリッジ１０３ｄは、連結部材１０３ｇによって連結されている。
【００２５】
イメージセンサユニット１０８と原稿台ガラス１０７の間にはスペーサ１０８ａが介挿されている。イメージセンサユニット１０８（図１）は、ブック読取範囲開始位置１０７ａからブック読取範囲終了位置１０７ｂまでの所定の範囲の原稿台ガラス１０７上に置かれた原稿の画像を等速移動して読み取るようになっている。
【００２６】
図３において、原稿台ガラス１０７の上部に張り出したジャンプ台１０９ｂの下面には、白色シート１０９ｃが配設されている。画像読取装置１０３は、イメージセンサユニット１０８の読取位置がその下部にあるときにイメージセンサユニット１０８のシェーディング補正を行なうようになっている。画像読取装置１０３は、本を読み取るブックスキャンを行なう場合、１回のスキャンのたびにイメージセンサユニット１０８がジャンプ台１０９ｂの下部を通過するためスキャンのたびにシェーディング補正を行なうことができる。このことは光源の経時変化に応じて光量が変化する移動型イメージセンサ１０８の光源の影響を減らすために有効である。
【００２７】
図１において、原稿押え板１１８は、原稿台ガラス１０７上に置かれた原稿の浮きを防止するため、白色シート、スポンジなどを積層して形成されている。原稿押え板１１８は、左端１１８ａがブック読取範囲開始位置１０７ａの左側、右端１１８ｂがブック読取読取範囲終了位置１０７ｂの右側まで延設されている。
【００２８】
（シート原稿の読み取りについての説明）
図１、図２において、原稿載置台１０６は、ＡＤＦ圧板１０２に設けられている。原稿載置台１０６には、１対のスライダ１０６ａがシート原稿Ｄの搬送方向と直角方向（シート原稿Ｄの幅方向、矢印Ｂ方向）にスライド自在に設けられている。この１対のスライダ１０６ａによって原稿載置台１０６上に積載されたシート原稿Ｄの両サイドを揃えることができるようになっている。すなわち、１対のスライダ１０６ａによってシート原稿Ｄの幅整合をすることができる。原稿載置台１０６上には原稿長さセンサ１０６ｂが配設され、セットされたシート原稿Ｄの長さを検知できるようになっている。
【００２９】
図３において、ＡＤＦ分離部１１５には、シート原稿Ｄの有無と幅を検知する原稿幅センサ１１５ｄがシート原稿Ｄの幅方向に複数配設されている。原稿幅センサ１１５ｄは、図３において、重なって見えるため、１つだけ示してある。原稿幅センサ１１５ｄと原稿長さセンサ１０６ｂの検知出力の組合せにより原稿のサイズとセットの方向とを検知することができる。
【００３０】
図３において、シート原稿搬送部１２１には、原稿給送センサ１２１ｈと原稿端センサ１２１ｉが配設されている。原稿給送センサ１２１ｈは、ＡＤＦ分離部１１５からシート原稿Ｄが繰り出されたか否かや、シート原稿Ｄの後端の通過を検知するようになっている。原稿端センサ１２１ｉは、シート原稿Ｄの先端及び後端の通過を検知するようになっている。その出力は読取のタイミング制御に使用される。
【００３１】
ＡＤＦ分離部１１５は、不図示のアクチュエータにより上下動するピックアップローラ１１５ａと、分離ローラ１１５ｂと、分離ローラ１１５ｂに圧接されて逆方向に回転するリタードローラ１１５ｃなどで構成されている。
【００３２】
まず、シート原稿Ｄは、ユーザによって、原稿載置台１０６上に表（おもて）面を上にして積載される。そして、ピックアップローラ１１５ａが下降して、シート原稿を原稿載置台１０６に押圧し、分離ローラ１１５ｂとリタードローラ１１５ｃとの間に送り込む。リタードローラ１１５ｃと分離ローラ１１５ｂは、シート原稿を１枚ずつに分離して搬送する。次に、不図示の押圧ばねにより読取搬送ローラ１２１ｃに押圧された分離搬送ころ１２１ａ，１２１ｂと、読取搬送ローラ１２１ｃとが、シート原稿を原稿ガイド１２１ｄに沿ったＵターン紙パスを搬送して、流し読みガラス１０９上に搬送する。
【００３３】
不図示の付勢ばねで押圧されたシート原稿押え板１２１ｅは、流し読みガラス１０９を搬送されたシート原稿Ｄを流し読みガラス１０９に押圧して密着させる。この間、シート原稿Ｄは搬送を継続されている。このとき、イメージセンサユニット１０８は、既に、シート原稿読取位置１０９ａに移動して停止しており、シート原稿読取位置１０９ａ上を通過するシート原稿Ｄの表面の画像情報を読み取る。次に、ジャンプ台１０９ｂは、搬送を継続されているシート原稿ＤをＡＤＦ圧板１０２側にすくい上げる。そして、不図示の押圧ばねにより読取搬送ローラ１２１ｃに押圧された読取搬送ころ１２１ｆと、読取搬送ローラ１２１ｃとがシート原稿を搬送する。
【００３４】
さらに、押圧ばねによって排紙ローラ１１７ｂに押圧された排紙ころ１１７ａと排紙ローラ１１７ｂとが、シート原稿Ｄを原稿排紙トレイ１１７ｃに排出する。このとき、排紙ローラ１１７ｂの上流側に設けられた読取済みスタンプ１２１ｇが、シート原稿Ｄの表面に画像読取済み印を押圧する。
【００３５】
（イメージセンサユニット等について）
図４乃至図６は、本実施形態に係るイメージセンサユニット１０８の具体的構成例を示す図である。
【００３６】
イメージセンサユニット１０８は、ＬＥＤ１０と樹脂製の導光体１１と等からなる光源からの光を原稿の画像に照射しする。その反射光は、結像光学系であるセルフォックレンズアレイ１２で一次元センサ素子アレイである受光センサ１３に結像されるようになっている。これによって、イメージセンサユニット１０８は、原稿の画像情報を読み取ることができる。なお、光源は、主走査方向の向きに配設された軸状のランプでもよい。
【００３７】
光源は、カラー読み取りの場合、複数色のカラーであるＲ（赤）、Ｇ（緑）、Ｂ（青）の３色のＬＥＤにより構成され、モノクロ読取の場合は、単色、例えばＧ（緑）の光源を使用する。３色のＬＥＤは、互いに異なる波長分布を有している。図には、ＬＥＤが後述する１つの導光体１１に１個しか設けられていないが、３つ設けられているものとする。
【００３８】
イメージセンサユニット１０８は、光源の発光素子であるＬＥＤ１０と、ＬＥＤ１０で発せられた光を原稿へと導く導光体１１とからなる１対の導光体光源を、結像光学系の役目をするセルフォックレンズアレイ１２の両側に配設した構造になっている。セルフォックレンズアレイ１２の直下には、受光センサ１３が配設されている。イメージセンサユニット１０８は枠体１４内に配置されている。受光センサ１３は、イメージセンサユニット１０８の主走査方向に沿って配列された複数の受光素子１３ａを有している。ＬＥＤ１０は、一方の導光体１１の一端と他方の導光体１１の他端にそれぞれ１個設けられている。
【００３９】
イメージセンサユニット１０８は、構成部材が中心軸Ｃに対して点対称の位置に配置された構成になっている。
【００４０】
各ＬＥＤ１０から発せられた光は、それぞれの導光体１１内で反射を繰り返しながらシートの幅方向（矢印Ｂ方向、主走査方向）に進行して、導光体１１の全長の発光面１１ａから出射する。導光体１１から出射した光は、図６のように原稿台ガラス１０７上のブック原稿Ｅを照射して、セルフォックレンズアレイ１２を通って受光センサ１３に受光される。光電変換素子としての受光センサ１３は、ブック原稿Ｅの反射光を受光して、反射光を電気信号に変換するようになっている。
【００４１】
図７は、本発明におけるイメージセンサユニット１０８における導光体光源による光量分布を示している。図において、一方の導光体側のＬＥＤ１０からの距離を基準にその光量分布が実線で示され、他方の導光体側の光量分布が点線で示されている。イメージセンサユニット１０８全体としての光量分布は、一点鎖線で示されるように各々のＬＥＤ１０の光量を加算したものとなり、すなわち図示のように光量が増大するとともに平均化されている。
【００４２】
この実施形態のイメージセンサユニット１０８によれば、上記のように２つの導光体１１の間でＬＥＤ１０を反対側に設けることで、導光体光源が相互に補完し合うかたちの光量分布が得られる。これにより、画像読取装置１０３は、ムラのない良好な読取画像が得られる。
【００４３】
なお、ＬＥＤ１０は、導光体１１の両端に設けられていても良い。また、ＬＥＤ１０、導光体１１は、図８に示すように、片側だけに設けられていても良い。
【００４４】
次に、ＣＩＳユニット２１から出力される画像信号を処理する画像信号処理部を図９のブロック図に基づいて説明する。ＣＩＳユニット２１は、光電変換装置であり、ＬＥＤ１０、受光センサ１３で構成されている。
【００４５】
ＣＩＳユニット２１から出力される画像データであるアナログ信号は、ＡＭＰ・Ａ／Ｄ変換機２３のＡＭＰによって増幅され、Ａ／Ｄ変換器によってデジタル信号に変換されて、メインＣＰＵ・メモリ２４のメモリに保存される。なお、以下の説明において、メインＣＰＵ・メモリ２４に関する事柄において、メインＣＰＵに関係することについては「メインＣＰＵ２４」と言い、メモリに関係することについては「メモリ２４」と言う。
【００４６】
ＡＭＰ・Ａ／Ｄ変換器２３のデジタルデータは、並べ替え回路４０において１ラインの信号に並べ替えられて、シェーディング補正回路４１においてシェーディング補正される。その後、デジタルデータである画像情報は、Ｉ／Ｆ回路（インターフェース回路）４２を介して、画像形成装置の画像形成部１１１に出力されるか、あるいはホストコンピュータ等によって画像再生される。
【００４７】
サブＣＰＵ３０は、ＬＥＤ駆動回路２５の点灯時間を制御したり、シェーディングデータ等の演算や読取ユニット５０を制御したりするようになっている。さらに、サブＣＰＵ３０は、メインＣＰＵ２４からの設定値に基づいて、ＡＭＰ・Ａ／Ｄ変換器２３を制御するようになっている。
【００４８】
読取部共通電源２６は、読取ユニット５０の不図示の電源をＯＮ／ＯＦＦするようになっている。
【００４９】
画像読取装置の操作部１０５（図２も参照）は、画像読取装置の状態表示や、画像形成装置全体の動作状態の表示を行なうようになっている。また、操作部１０５は、ユーザによる読み取り命令が入力されるようになっている。
【００５０】
読取ユニット５０内のＬＥＤ駆動回路２５は、読取部共通電源２６からの電力を受けて、サブＣＰＵ３０の制御により、ＣＩＳ２１の各ＬＥＤを作動させるようになっている。ＡＭＰ・Ａ／Ｄ変換器２３も、読取部共通電源２６からの電力を受け、サブＣＰＵ３０の制御により作動するようになっている。
【００５１】
ＡＭＰ・Ａ／Ｄ変換器２３は、アナログ信号をデジタル信号に変換するのに加えて、変換するレベルを設定して、画像の輝度レベル（画像のデジタルデータ）である読取レベルを調整できるようになっている。
【００５２】
メインＣＰＵ２４は、サブＣＰＵ３０との通信Ｉ／Ｆ５１を介して、メモリ２４に記憶された設定データ等を読取ユニット５０に送信するようになっている。設定データには、ＡＭＰ・Ａ／Ｄ変換器２３の設置値、読取ユニット５０の制御用の設定値などがある。メモリ２４からの設定データ等を受けたサブＣＰＵ３０は、その設定データに基づいて、ＡＭＰ・Ａ／Ｄ変換器２３の読取レベルの調整や、読取ユニット５０を制御するようになっている。
【００５３】
メインＣＰＵ２４は、読取ユニット５０の読取部共通電源２６のＯＮ／ＯＦＦの切り替えができ、読取ユニット５０への電源供給の有無を制御するようになっている。
【００５４】
メインＣＰＵ２４は、シェーディング補正、及び読取レベル調整の際の画像データにより、ＣＩＳ２１のＬＥＤ１０の故障、あるいはＡＭＰ・Ａ／Ｄ変換器２３の異常を検出するようになっている。
【００５５】
図１０、図１１のフローチャートは、電源投入及びスリープ復帰時処理の制御シーケンス（図１０）と、ＬＥＤ異常検出でのリトライ制御シーケンス（図１１）を示したフローチャートであり、メモリ２４に格納されている。メインＣＰＵ２４は、フローチャートに基づいて各部を制御する。  図１０に示すフローチャートを説明する。
【００５６】
画像読取装置に電源が投入されたとき、又は画像形成装置がスリープ復帰したとき（Ｓ２００１）、メインＣＰＵ２４は、オフセット調整を行う（Ｓ２００２）。オフセット調整は、画像の黒レベル調整のことである。オフセット調整では、白色シート１０９ｃの黒レベルが共通の黒レベル値となるように、ＡＭＰ・Ａ/Ｄ２３のオフセット設定値（基準電圧）を調整する。黒レベル調整は、ＬＥＤ１０を消灯して行なう必要がある。
【００５７】
次に、メインＣＰＵ２４は、読取部共通電源２６をＯＮにして、白色シート１０９ｃの下でＬＥＤを点灯させ（Ｓ２００３）、ゲイン調整を行なう（Ｓ２００４）。ゲイン調整では、白色基準板の白レベルが共通の白レベル値となるように、ＡＭＰ・Ａ/Ｄ２３のゲイン設定値（増幅率）を調整する。
【００５８】
ＡＭＰ・Ａ／Ｄ変換器２３は、白色シートの白データを所定の白データに一致するように増幅する。そして、メインＣＰＵ２４は、ゲイン調整によりオフセット状態が変化するので、読取部共通電源２６をＯＦＦにしてＬＥＤを消灯させ（Ｓ２００５）、再度、オフセット調整を行なう（Ｓ２００６）。
【００５９】
次に、メインＣＰＵ２４が、ＬＥＤが消えた状態で黒データのサンプリングを行い、主走査方向の所定領域に対して、黒シェーディング補正データの演算及びセットを行なう（Ｓ２００７）。そして、メインＣＰＵ２４は、ＬＥＤ１０を点灯させ（Ｓ２００８）、白色シート１０９ｃの下にごみが存在するか否かを検知する（Ｓ２００９）。
【００６０】
次に、メインＣＰＵ２４は、白色シート１０９ｃの白データをサンプリングし、白シェーディング補正データを演算してメモリ２４にセットする（Ｓ２０１０）。その後、メインＣＰＵ２４は、ＬＥＤ１０をＯＦＦにして（Ｓ２０１４）、処理を終了する（Ｓ２０１５）。
【００６１】
次に、オフセット調整処理（Ｓ２００２、２００６)の詳細を、図１１のフローチャートに基づいて説明する。
【００６２】
オフセット調整が開始されると、メインＣＰＵ２４は、ＡＭＰ・Ａ／Ｄ変換器２３のオフセット設定値(Oft)に、個別調整値（Ostart）を設定する。（Ｓ３００１）
次に、メインＣＰＵ２４は、画像データを取得してメモリ２４に保存させ、その画像データの平均値（Lsmp）と、黒レベルのターゲット値(Ltgt)とを比較する。(Ｓ３００２)
比較した結果、画像データの平均値（Lsmp）が、黒レベルのターゲット値(Ltgt)より低い場合、メインＣＰＵ２４は、オフセット設定値(Oft)を１０加算して再設定し(Ｓ３００３)、ＡＭＰ・Ａ／Ｄ変換器２３のオフセットレベルの再設定を行う。
【００６３】
メインＣＰＵ２４は、オフセット設定値を再設定したときの、画像データをメモリ２４に保存し、このときの画像データの平均値（Lsmp）と、黒レベルのターゲット値(Ltgt)とを再度比較する。(Ｓ３００４)
メインＣＰＵ２４は、画像データ平均値（Lsmp）が黒レベルターゲット値（Ltgt）を超えるまで、オフセット設定値（Oft）の加算を繰り返す。
【００６４】
比較した結果、画像データの平均値（Lsmp）が、黒レベルのターゲット値(Ltgt)を超えた場合は、次に、メインＣＰＵ２４は、オフセット設定値(Oft)を１減算して設定する（Ｓ３００５）。
【００６５】
メインＣＰＵ２４は、オフセット設定値を減算して取得した画像データ平均値（Lsmp）と黒レベルターゲット値(Ltgt)を比較し(Ｓ３００６)、今度は、画像データ平均値（Lsmp）が黒レベルターゲット値（Ltgt）より低くなるまで、オフセット設定値（Oft）の減算を繰り返し行なう。（Ｓ３００６）。
【００６６】
比較した結果、画像データの平均値（Lsmp）が、黒レベルのターゲット値(Ltgt)より低くなったら、メインＣＰＵ２４は、このときのオフセット設定値を調整完了値(Oend´)として保存し、オフセット調整処理を終了する。
【００６７】
メインＣＰＵ２４は、以後のスキャン動作の際、この調整完了値(Oend´)をＡＭＰ・Ａ／Ｄ変換器２３のオフセット設定値(Oft)として使用する。メインＣＰＵ２４は、電源がＯＦＦされるまで、この調整完了値を使用する。
【００６８】
電源がＯＦＦされ、新たに電源がＯＮされた場合、起動時処理におけるオフセット調整処理として、メインＣＰＵ２４は、再度Ｓ３００１から順に調整処理を開始する。
【００６９】
ここで、電源再投入時のＳ３００１における個別調整値（Ostart）の設定の際、メインＣＰＵ２４は、個別調整値として、電源ＯＦＦの前に保存した前回の調整完了値（Oend´）を、個別調整値（Ostart）として設定する。そして、Ｓ３０１１まで処理が完了し、オフセット調整処理が完了したら、メインＣＰＵ２４は、オフセット値として求められたオフセット設定値(Oft)を、新たな調整完了値（Oend´´）として保存する。
【００７０】
このような手順で、図１０中の２回のオフセット調整（Ｓ２００２、Ｓ２００６）を実行する。
【００７１】
図１０中のもうひとつのＡＭＰ・Ａ/Ｄ２３の調整処理である、ゲイン調整（Ｓ２００４）も、同様の手順で実行する。ゲイン調整の場合は、調整のターゲット値(Ltgt)が白レベルのターゲット値となる。ゲイン調整では、ランプを点灯した状態で、白色シート１０９ｃの白データをサンプリングする。そして、サンプリングした画像データとターゲット値との比較によって、ＡＭＰ・Ａ/Ｄ２３のゲイン設定値（増幅率）を調整する。
【００７２】
図１２は、メインＣＰＵ２４が、オフセット調整において、画像データの平均値（Ｌsmp）がターゲット（Ltgt）と一致するように、オフセット設定値（Oft）を加減して操作したときのイメージ図である。
【００７３】
図１３は、ＡＭＰ・Ａ／Ｄ変換器２３のオフセット/ゲイン設定値と、メインＣＰＵ２４が取得する画像データ平均値との関係を示した図である。
【図面の簡単な説明】
【００７４】
【図１】本発明の実施形態における画像形成装置のシート搬送方向に沿った断面図である。
【図２】図１の画像形成装置の外観斜視図である。
【図３】画像形成装置に装備された本発明の実施形態における画像読取装置の一部分を示したものであり、原稿搬送方向に沿った断面図である。
【図４】本発明の実施形態における画像読取装置の断面図である。（Ａ）副走査方向に沿った断面図である。（Ｂ）主走査方向に沿った断面図である。
【図５】イメージセンサユニットの斜視図である。
【図６】図５のイメージセンサユニットの副走査方向に沿った断面図である。
【図７】本発明の実施形態におけるイメージセンサユニットによる光量分布を示す図である。
【図８】他の実施形態におけるイメージセンサユニットの図であり、図６に相当する図である。
【図９】本発明の実施形態における制御回路を示す図である。
【図１０】本発明の実施形態における電源投入及びスリープ復帰時の制御シーケンスのフローチャートを示す図である。
【図１１】本発明の実施形態におけるオフセット調整のフローチャートを示す図である。
【図１２】本発明の実施形態におけるオフセット調整の処理イメージを示す図である。
【図１３】本発明の実施形態におけるオフセット・ゲイン設定値と画像データの関係を示す図である。
【符号の説明】
【００７５】
Ｄ      シート原稿（被写体）
Ｅ      ブック原稿（被写体）
１０      ＬＥＤ（光源）
１１      導光体（光源）
１２      セルフォックレンズアレイ
１３      受光センサ（＝ＣＩＳ）（光電変換素子）
１３ａ    受光素子
２１      ＣＩＳユニット（光電変換装置）
２３      ＡＭＰ・Ａ/Ｄ（AFE、ADコンバータ）
２４      メインＣＰＵ（読み取り動作制御手段）・メモリ(記憶手段)
２６      読取部共通電源
２７      カウンタ
３０      サブＣＰＵ
５０      読取ユニット（読取部）
１００      画像形成装置
１０１      装置本体
１０３      画像読取装置
１０４      記録装置本体
１０５      操作部（報知手段）
１０８      イメージセンサユニット（＝ＣＩＳユニット）
１１１      画像形成部
【図１】
2010041083.tif 000003
【図２】
2010041083.tif 000004
【図３】
2010041083.tif 000005
【図４】
2010041083.tif 000006
【図５】
2010041083.tif 000007
【図６】
2010041083.tif 000008
【図７】
2010041083.tif 000009
【図８】
2010041083.tif 000010
【図９】
2010041083.tif 000011
【図１０】
2010041083.tif 000012
【図１１】
2010041083.tif 000013
【図１２】
2010041083.tif 000014
【図１３】
2010041083.tif 000015